(57)【要約】【課題】装置における各機能を選択的に許容することができ、また入力すべき入力パスワードを忘却しても最低限の機能の提供を可能とし、また他者が容易にセキュリティの解除をすることを防ぐことができるパスワード認証装置およびパスワード認証方法を提供する。【解決手段】ＣＰＵ１１は、入力パスワードＰＷの各文字コードが、基準パスワードに合致するか否かを判定する。さらにＣＰＵ１１は、入力パスワードＰＷと基準パスワードとの合致の程度を示す合致状態を検出する。そしてＣＰＵ１１は、検出された合致状態に応じて使用可能とする機能を規定する。【選択図】      図１
2004341714.tif 000002
【特許請求の範囲】
【請求項１】
入力手段により入力された入力ワードと、記憶手段に記憶された基準ワードとを比較し、その比較結果により予め定める機能を使用可能とするパスワード認証装置において、
前記入力ワードと前記基準ワードとの合致の程度を示す合致状態を検出する合致状態検出手段と、
前記合致状態検出手段により検出された合致状態に応じて使用可能とする機能を規定する機能規定手段とを備えることを特徴とするパスワード認証装置。
【請求項２】
前記合致状態検出手段は、
入力ワードの入力文字列と、基準ワードの基準文字列との一致状況であって、基準文字列における予め定める並び順の文字種に対応する入力文字列の並び順の文字種の一致状況を検出し、その一致した並び順の文字数により、入力ワードと基準ワードとの合致状態を検出することを特徴とする請求項１記載のパスワード認証装置。
【請求項３】
前記合致状態検出手段は、
入力ワードの入力文字列に、基準ワードの予め定める並び順の文字種と一致しない文字種が一つでも含まれるとき、入力ワードと基準ワードとが合致しないと検出することを特徴とする請求項２記載のパスワード認証装置。
【請求項４】
前記合致状態検出手段は、基準ワードに対応する入力ワードの合致位置を検出する合致位置検出手段を有し、
前記機能規定手段は、前記合致位置検出手段により検出された合致位置に対応した機能を使用可能な機能として規定することを特徴とする請求項２または３記載のパスワード認証装置。
【請求項５】
前記機能規定手段は、
前記合致位置に、予め定める入力ワードの文字種と一致しない文字種が一つでも含まれるとき、前記合致位置に対応した機能を使用不能と規定することを特徴とする請求項４記載のパスワード認証装置。
【請求項６】
前記合致位置検出手段は、
複数ブロックの基準ワードにそれぞれ対応する入力ワードのブロック毎の合致位置を検出し、
前記機能規定手段は、前記合致位置検出手段により検出されたブロック毎の合致位置に対応した機能を使用可能な機能として規定することを特徴とする請求項５記載のパスワード認証装置。
【請求項７】
表示手段は、基準文字列の文字数を超えるかまたは入力すべき入力文字の文字数よりも多い入力表示桁を表示することを特徴とする請求項２〜６のいずれかに記載のパスワード認証装置。
【請求項８】
表示手段は、基準文字列の文字数よりも少ないかまたは入力すべき入力文字の文字数よりも少ない入力表示桁を表示することを特徴とする請求項２〜６のいずれかに記載のパスワード認証装置。
【請求項９】
合致状態検出手段は、入力表示桁のいずれかに、基準文字列における予め定める並び順の文字種に対応する入力文字列があるか否かを検出することを特徴とする請求項７記載のパスワード認証装置。
【請求項１０】
各操作者毎に複数の基準ワードを記憶可能な記憶手段と、前記記憶手段に記憶された基準ワードと前記入力手段により入力された入力ワードとを比較し、操作者を判別する操作者判別手段をさらに含むことを特徴とする請求項１記載のパスワード認証装置。
【請求項１１】
前記機能規定手段は、前記合致状態検出手段により前記入力ワードと前記基準ワードが合致しないと判断されるとき、最低限使用可能な機能を規定することを特徴とする請求項１記載のパスワード認証装置。
【請求項１２】
入力手段により入力された入力ワードと、記憶手段に記憶された基準ワードとを比較し、その比較結果により予め定める機能を使用可能とするパスワード認証方法において、
前記入力ワードと前記基準ワードとの合致の程度を示す合致状態を検出する合致状態検出工程と、
前記合致状態検出工程で検出された合致状態に応じて使用可能とする機能を規定する機能規定工程とを備えることを特徴とするパスワード認証方法。
【発明の詳細な説明】
【０００１】
【発明の属する技術分野】
本発明は、パスワード認証装置およびパスワード認証方法に関し、たとえば携帯電話機、ナビゲーションシステム、およびハンズフリー装置などに好適に設けられるパスワード認証装置およびパスワード認証方法に関する。
【０００２】
【従来の技術】
従来たとえば操作者が入力キーから入力パスワードを入力することで、装置の機能を許容する認証装置が実用化されている。また操作者の身体的特徴たとえば指紋、声紋、および虹彩のうちの少なくともいずれか１つが、予め登録されたデータに一致するか否かを判定し、一致すれば装置の機能を使用可能に許容する認証装置も実用化されている（特許文献１）。
【０００３】
電子ロックの施錠および解除を許容する携帯電話の電話番号および正当パスワードを対応付けて電子ロックシステムのメモリに保存しておく技術も実用化されている（特許文献２）。すなわち着信があった場合に、電子ロックシステムは、発信元の電話番号が、メモリに保存されている電話番号と一致するか否かを判定するとともに、発信元の電話からダイヤルボタンの操作に基づく信号として送信されたきた入力パスワードが、発信元の電話番号に対応付けてメモリに保存されている正当パスワードと一致するか否かを判定する。これら電話番号および入力パスワードが一致した場合に、たとえば電子ロックを解除する（特許文献２）。
【０００４】
またハンズフリーシステムなど、各種機器に用いられるパスワード認証装置においては、たとえば専用の操作スイッチによって入力された入力パスワードと、メモリに記憶された正当パスワードとを比較し、これら入力パスワードと正当パスワードとが一致するとき、全ての機能を使用可能とする。
【０００５】
【特許文献１】
特開２００２−４７８４０号公報
【特許文献２】
特開２０００−２０２９号公報
【０００６】
【発明が解決しようとする課題】
前述の特許文献１および２に記載の従来技術では、正当パスワードなどの登録データと入力パスワードとが一致し、セキュリティが解除されると、端末装置全ての機能が使用可能となる。たとえば所有者が端末装置から離れている間に、他者に前記端末装置を操作される可能性があり、所有者の個人的なデータを不所望に他者に見られたり、無断で携帯電話などの料金が発生する機能を使用され、後で多大な請求を強いられるおそれがある。また、正当パスワードを複雑にすると、所有者自身が前記正当パスワードに対応する入力パスワードを忘れてしまいセキュリティを解除できなくなり、端末装置を使用できないおそれがある。
【０００７】
ハンズフリー装置などの端末装置においても、接続された携帯電話の所有者以外の乗員が前記端末装置を操作する可能性がある。つまり正当パスワードと入力パスワードとが一致して、この端末装置のセキュリティが一旦解除されると、端末装置全ての機能が使用可能となるので、前述と同様の問題が生じる。このように従来の技術では、装置の機能の機密性を必要に応じて高くすること、装置の機能を使用可能に許容するための操作性を簡単化することがトレードオフの関係にあった。
【０００８】
したがって本発明の目的は、装置における各機能を選択的に許容することができ、また入力すべき入力パスワードを忘却しても最低限の機能の提供を可能とし、また他者が容易にセキュリティの解除をすることを防ぐことができるパスワード認証装置およびパスワード認証方法を提供することである。
【０００９】
【課題を解決するための手段】
請求項１記載の本発明は、入力手段により入力された入力ワードと、記憶手段に記憶された基準ワードとを比較し、その比較結果により予め定める機能を使用可能とするパスワード認証装置において、
前記入力ワードと前記基準ワードとの合致の程度を示す合致状態を検出する合致状態検出手段と、
前記合致状態検出手段により検出された合致状態に応じて使用可能とする機能を規定する機能規定手段とを備えることを特徴とするパスワード認証装置である。
【００１０】
本発明に従えば、合致状態検出手段は、入力手段により入力された入力ワードと、記憶手段に記憶された基準ワードとの合致の程度を示す合致状態を検出する。機能規定手段は、前記合致状態検出手段により検出された合致状態に応じて使用可能とする機能を規定する。このように特に入力ワードと基準ワードとの合致状態に応じて使用可能とする機能を規定するので、各機能を選択的にかつ使用可能に許容することが可能となるうえ、その操作性を簡略化することができる。また他者が容易にセキュリティの解除をすることを防ぐことができる。
【００１１】
請求項２記載の本発明は、前記合致状態検出手段は、
入力ワードの入力文字列と、基準ワードの基準文字列との一致状況であって、基準文字列における予め定める並び順の文字種に対応する入力文字列の並び順の文字種の一致状況を検出し、その一致した並び順の文字数により、入力ワードと基準ワードとの合致状態を検出することを特徴とする。
【００１２】
本発明に従えば、合致状態検出手段は、基準文字列における予め定める並び順の文字種に対応する入力文字列の並び順の文字種の一致状況を検出する。そして合致状態検出手段は、その一致した並び順の文字数により、入力ワードと基準ワードとの合致状態を検出する。このように合致状態検出手段は、入力文字列の文字種が、基準文字列の文字種に対し連続して一致するか否かを検出するとともに、連続して一致した文字数を検出している。このことによって各機能を選択的に許容することを実現できる。逆に言えば入力文字列の文字種が、基準文字列の文字種に対し連続して一致しなければ、各機能を選択的に許容することが不可能となる。
【００１３】
請求項３記載の本発明は、前記合致状態検出手段は、
入力ワードの入力文字列に、基準ワードの予め定める並び順の文字種と一致しない文字種が一つでも含まれるとき、入力ワードと基準ワードとが合致しないと検出することを特徴とする。
【００１４】
本発明に従えば、仮に入力ワードの入力文字列に、基準ワードの予め定める並び順の文字種の一部が一致したとしても、入力ワードと基準ワードとは合致しないと検出される。換言すれば入力ワードの入力文字列と、基準ワードの基準文字列とが完全に一致しなければ、入力ワードと基準ワードとは合致しないと検出される。
【００１５】
請求項４記載の本発明は、前記合致状態検出手段は、基準ワードに対応する入力ワードの合致位置を検出する合致位置検出手段を有し、
前記機能規定手段は、前記合致位置検出手段により検出された合致位置に対応した機能を使用可能な機能として規定することを特徴とする。
【００１６】
本発明に従えば、合致位置検出手段は、基準ワードに対応する入力ワードの合致位置を検出する。機能規定手段は、この合致位置検出手段により検出された合致位置に対応した機能を使用可能な機能として規定する。このように本発明に従えば、合致位置に対応した機能を選択的に許容することが可能となる。
【００１７】
請求項５記載の本発明は、前記機能規定手段は、
前記合致位置に、予め定める入力ワードの文字種と一致しない文字種が一つでも含まれるとき、前記合致位置に対応した機能を使用不能と規定することを特徴とする。
【００１８】
本発明に従えば、予め定める入力ワードの文字種と一致しない文字種が、合致位置に一つでも含まれるとき、前記合致位置に対応した機能を使用不能と規定する。換言すれば、ある合致位置において、入力ワードの文字種と基準ワードの文字種とが完全に一致しなければ、この合致位置に対応した機能を使用不能と規定する。
【００１９】
請求項６記載の本発明は、前記合致位置検出手段は、
複数ブロックの基準ワードにそれぞれ対応する入力ワードのブロック毎の合致位置を検出し、
前記機能規定手段は、前記合致位置検出手段により検出されたブロック毎の合致位置に対応した機能を使用可能な機能として規定することを特徴とする。
【００２０】
本発明に従えば、合致位置検出手段は、複数ブロックの基準ワードにそれぞれ対応する入力ワードのブロック毎の合致位置を検出する。機能規定手段は、前記合致位置検出手段により検出されたブロック毎の合致位置に対応した機能を使用可能な機能として規定する。このように複数の機能をブロック毎に選択的にかつ使用可能に許容することが可能となる。
【００２１】
たとえば１ブロックの基準ワードが複数桁の基準ワードから成り、少なくとも複数ブロック分の基準ワードに対応する入力ワードを、前記複数桁ずつ入力したとき、これら複数ブロックに対応する機能を全て使用可能に許容することができる。また１ブロック分の基準ワードに対応する入力ワードを入力し、他の１ブロック分の基準ワードに対応する入力ワードを誤入力したとき、この誤入力したブロックに対応する機能は使用不可能とし、正しく入力したブロックに対応する機能だけを使用可能に許容することができる。
【００２２】
請求項７記載の本発明は、表示手段は、基準文字列の文字数を超えるかまたは入力すべき入力文字の文字数よりも多い入力表示桁を表示することを特徴とする。
【００２３】
本発明に従えば、表示手段は入力表示桁を表示し、この入力表示桁は、基準文字列の文字数を超えるかまたは入力すべき入力文字の文字数よりも多くなっている。これによって基準ワードを知らない他者に対して、入力すべき入力文字の文字数自体を困惑させることができる。すなわち基準ワードを知らない他者には、入力表示桁だけ入力文字の文字数を入力する必要があると思わせることができる。したがって本パスワード認証装置のセキュリティを簡単な構成で強化することができる。
【００２４】
請求項８記載の本発明は、表示手段は、基準文字列の文字数よりも少ないかまたは入力すべき入力文字の文字数よりも少ない入力表示桁を表示することを特徴とする。
【００２５】
本発明に従えば、表示手段は入力表示桁を表示し、この入力表示桁は、基準文字列の文字数よりも少ないかまたは入力すべき入力文字の文字数よりも少なくなっている。これによって基準ワードを知らない他者に対して、入力すべき入力文字の文字数自体を困惑させることができる。すなわち基準ワードを知らない他者には、入力表示桁だけ入力文字の文字数を入力する必要があると思わせることができる。したがって本パスワード認証装置のセキュリティを簡単な構成で強化することができる。
【００２６】
請求項９記載の本発明は、合致状態検出手段は、入力表示桁のいずれかに、基準文字列における予め定める並び順の文字種に対応する入力文字列があるか否かを検出することを特徴とする。
【００２７】
本発明に従えば、合致状態検出手段は、入力表示桁のいずれかに、基準文字列における予め定める並び順の文字種に対応する入力文字列があるか否かを検出している。このように入力桁に関係なく予め定める並び順の文字種に対応する入力文字列が、入力表示桁のいずれかにあれば、対応する機能を許容することができる。
【００２８】
請求項１０記載の本発明は、各操作者毎に複数の基準ワードを記憶可能な記憶手段と、前記記憶手段に記憶された基準ワードと前記入力手段により入力された入力ワードとを比較し、操作者を判別する操作者判別手段をさらに含むことを特徴とする。
【００２９】
本発明に従えば、操作者判別手段は、記憶手段に各操作者毎に記憶される複数の基準ワードと、入力手段により入力された入力ワードとを比較し、操作者を判別する。しかも操作者毎に設定される機能を許容することができる。
【００３０】
請求項１１記載の本発明は、前記機能規定手段は、前記合致状態検出手段により前記入力ワードと前記基準ワードが合致しないと判断されるとき、最低限使用可能な機能を規定することを特徴とする。
【００３１】
本発明に従えば、入力すべき入力ワードを仮に忘却しても、前記機能規定手段は、合致状態検出手段により入力ワードと基準ワードが合致しないと判断されるとき、最低限使用可能な機能を規定する。
【００３２】
請求項１２記載の本発明は、入力手段により入力された入力ワードと、記憶手段に記憶された基準ワードとを比較し、その比較結果により予め定める機能を使用可能とするパスワード認証方法において、
前記入力ワードと前記基準ワードとの合致の程度を示す合致状態を検出する合致状態検出工程と、
前記合致状態検出工程で検出された合致状態に応じて使用可能とする機能を規定する機能規定工程とを備えることを特徴とするパスワード認証方法である。
【００３３】
本発明に従えば、合致状態検出工程において、入力手段により入力された入力ワードと、記憶手段に記憶された基準ワードとの合致の程度を示す合致状態を検出する。その後機能規定工程において、前記合致状態検出工程で検出された合致状態に応じて使用可能とする機能を規定する。このように特に入力ワードと基準ワードとの合致状態に応じて使用可能とする機能を規定するので、各機能を選択的に許容することが可能となるうえ、その操作性を簡略化することができる。また他者が容易にセキュリティの解除をすることを防ぐことができる。
【００３４】
【発明の実施の形態】
［第１の実施の形態］
図１は、本発明の第１の実施の形態に係るハンズフリーシステムの構成を示す図である。本実施の形態は、たとえばハンズフリーシステムに本発明を適用した場合の一例を示す。このハンズフリーシステム１は、電子機器５と、電子機器５とコネクタ６を介して接続される携帯電話機２と、図示外の車両に設置されたスピーカ７とから構成される。
【００３５】
電子機器５は、マイクロフォン８と、音声処理部９と、メモリ１０と、中央演算処理装置１１（以降ＣＰＵ１１と称す）と、ディスプレイ１２と、操作部１３とから構成される。マイクロフォン８は、話者の発生音声を取得するものであり、音声処理部９は、携帯電話機２からの音声信号を処理してスピーカ７へ再生する音声信号を出力し、またマイクロフォン８からの音声信号を処理して携帯電話機２に出力するものである。これに限らずマイクロフォン８は電子機器５の外部に設ける構成であってもよい。
【００３６】
メモリ１０は、プログラムや音声処理部９の動作制御のためのデータが記憶されたＲＯＭ（ＲＯＭ：Ｒｅａｄ  Ｏｎｌｙ  Ｍｅｍｏｒｙ）や、また演算処理途中のデータを一時的に記憶するためのＲＡＭ（ＲＡＭ：Ｒａｎｄｏｍ  Ａｃｃｅｓｓ  Ｍｅｍｏｒｙ）から構成されたものである。ＣＰＵ１１は、音声処理部９の動作制御、携帯電話機２による音声信号以外のデータ信号の通信などを行うもので、メモリ１０と電気的に接続され、またディスプレイ１２と操作部１３とにそれぞれ電気的に接続されている。ディスプレイ１２には、たとえば感圧式のタッチパネルが採用されている。ディスプレイ１２のタッチパネルが入力手段に相当する。
【００３７】
携帯電話機２には、メモリ３が設けられており、携帯電話機２はコネクタ６を介して電子機器５に接続されている。メモリ３には、たとえば電話番号を含む履歴情報が記憶されている。このような履歴情報は、たとえば電話回線などの回線網を介して携帯電話機２のメモリ３に記憶される。また履歴情報は、操作者が操作部１３または携帯電話機２の図示外のキー操作部を操作することで、メモリ３に記憶される。
【００３８】
ＣＰＵ１１は、ディスプレイ１２のタッチパネルによって入力される後述の入力パスワードＰＷと、メモリ１０に記憶された基準パスワードとを比較し、その比較結果により予め定める機能を使用可能とする。より具体的には、ＣＰＵ１１は、入力パスワードＰＷと基準パスワードとの合致の程度を示す合致状態（後述する）に応じて使用可能とする機能を規定する。すなわちハンズフリーシステム１における各機能を選択的にかつ使用可能に許容する。前記基準パスワードは、予め定める操作によってメモリ１０に書き換え可能に記憶されている。このメモリ１０が記憶手段に相当する。入力パスワードＰＷが入力ワードに相当する。基準パスワードが基準ワードに相当する。ＣＰＵ１１が、合致状態検出手段、機能規定手段、および合致位置検出手段に相当する。
【００３９】
図２は、入力パスワードＰＷを入力するためのディスプレイ１２の表示状態を表し、（１）はディスプレイの表示画面全体を表す図、（２）は入力パスワードが６桁入力されたときの表示領域の図、（３）は入力パスワードが５桁入力されたときの表示領域の図、（４）は入力パスワードが４桁入力されたときの表示領域の図である。図３は、ハンズフリーシステムの各機能の使用を選択的に許容するＣＰＵの動作を示すフローチャートである。図１も参照しつつ説明する。本フローはメモリに予め格納されるプログラムに基づいて実行される。
【００４０】
操作者が操作部１３のオンオフスイッチ１３ａをオン操作すると、本フローが開始され（ステップａＳ）、ＣＰＵ１１は、ディスプレイ１２に図２（１）に示すようなパスワード入力画面を表示する。このディスプレイ１２のパスワード入力画面には、たとえばパスワード（つまり入力パスワード）を入力して下さい。などのメッセージが表示されるとともに、入力された入力パスワードＰＷを表示するための表示領域１５、入力パスワードＰＷを入力可能なテンキー１６、入力した入力パスワードＰＷを訂正するための訂正キー１７、カーソルキー１８、および、入力した入力パスワードＰＷを決定するための実行キー１９が表示される。
【００４１】
これらテンキー１６と訂正キー１７とカーソルキー１８と実行キー１９とは、前述のタッチパネルによって実現される。本実施形態においては、入力パスワードＰＷを決定するために前記実行キー１９が表示される形態になっているが、必ずしもこの形態に限定されるものではない。たとえば操作者がテンキー１６によって入力パスワードＰＷを入力し、その後テンキー１６および訂正キー１７などの入力操作を一切行わない非入力状態が予め定める時間経過すれば、ＣＰＵ１１が、入力した前記入力パスワードＰＷを確定するような形態にする場合もある。この場合には実行キー１９を省略することも可能である。なお操作者が入力パスワードＰＷを入力し、非入力状態が予め定める時間経過する前に操作者が実行キー１９を操作すれば、この操作者の操作によって入力パスワードＰＷが確定される。
【００４２】
また入力された入力パスワードＰＷを表示する表示領域１５には、基準パスワードの桁数以上の入力表示枠を表示可能になっている。したがって基準パスワードを知らない第三者には、表示領域１５の桁だけパスワード文字数を入力する必要があると思わせることができ、基準パスワードの桁数を困惑させることができる。
【００４３】
ステップａＳの後ステップａ１において、ＣＰＵ１１は、入力パスワードＰＷが入力および決定されたか否かを判定する。このステップａ１で入力パスワードＰＷが入力および決定されたと判定されると、ステップａ２に移行する。ステップａ２において、ＣＰＵ１１は、入力および決定したつまり確定した各文字種１４により構成される入力パスワードＰＷの文字列が、予め設定される基準パスワードに合致したか否かを判定する。このステップａ２において、ＣＰＵ１１は、全ての桁の文字種１４を含む入力パスワードＰＷが基準パスワードに合致した、換言すれば合致率が七分の七であると判定すると、ステップａ３に移行してハンズフリーシステム１の全ての機能を使用可能に許容し、ステップａＥに移行して本フローを終了する。
【００４４】
ステップａ１において、入力パスワードＰＷを入力および決定していないとＣＰＵ１１が判定すると、ステップａ１に戻りフローを継続する。ハンズフリーシステム１の全ての機能とは、たとえばメモリ３に記憶された電話番号を操作者が参照する機能、メモリ３に記憶された受信メールを操作者が参照する機能、メモリ３に記憶された送信メールを操作者が参照する機能、およびその他の機能などを含む。
【００４５】
ステップａ２において、入力パスワードＰＷが基準パスワードに合致していないとＣＰＵ１１が判定すると、ステップａ４に移行する。このステップａ４において、図２（２）に示すように入力および決定した入力パスワードＰＷの文字列が、第１〜第６桁目の基準パスワードの文字列にそれぞれ合致した、換言すれば合致率が七分の六であるとＣＰＵ１１が判定すると、ステップａ５に移行する。
【００４６】
ステップａ５において、ＣＰＵ１１は、たとえばメモリ３に記憶された電話番号と、受信メールと、送信メールとを参照する機能を使用可能に許容して本フローを終了する。図３において、この電話番号を操作者が参照する機能を「機能Ａ」と表示し、受信メールを操作者が参照する機能を「機能Ｂ」と表示し、送信メルを操作者が参照する機能を「機能Ｃ」と表示している。ここで許容される機能については、予めユーザによりセキュリティの順位が決定されており、入力パスワードＰＷの合致率とこの順位とに基づいて、使用可能に許容する機能が選択される。たとえば合致率が低ければ、セキュリティ性の低い機能の使用が許容され、入力パスワードＰＷが基準パスワードに略一致すれば、セキュリティ性の高い機能の使用を許容するものである。このように許容される機能および最低限必要な機能以外の機能は、ＣＰＵ１１によって使用することが許容されず、使用不可能となる。
【００４７】
ステップａ４において、入力パスワードＰＷの文字列が第１〜第６桁目の基準パスワードの文字列に合致していないとＣＰＵ１１が判定すると、ステップａ６に移行する。ステップａ６において、ＣＰＵ１１は、図２（３）に示すように入力および決定した入力パスワードＰＷの文字列が、第１〜第５桁目の基準パスワードの文字列に合致したか否かを判定する。このステップａ６において、入力および決定された入力パスワードＰＷの文字列が、第１〜第５桁目の基準パスワードにそれぞれ合致した、換言すれば合致率が七分の五であると判定すると、ステップａ７に移行する。
【００４８】
ステップａ７において、ＣＰＵ１１は、たとえばメモリ３に記憶された電話番号および受信メールを参照する機能の使用を許容して本フローを終了する。つまり前述の全ての機能のうち、たとえばメモリ３に記憶された送信メールを操作者が参照する機能の使用などは許容されない。ステップａ６において、入力および決定された入力パスワードＰＷが第１〜第５桁目の基準パスワードの文字列に合致していないとＣＰＵ１１が判定すると、ステップａ８に移行する。
【００４９】
ステップａ８において、図２（４）に示すようにＣＰＵ１１は、入力および決定した各文字種１４により構成される入力パスワードＰＷの文字列が、第１〜第４桁目の基準パスワードの基準文字列に合致したか否かを判定する。このステップａ８において、入力および決定された入力パスワードＰＷの文字列が、第１〜第４桁目の基準パスワードの基準文字列にそれぞれ合致した、換言すれば合致率が七分の四であるとＣＰＵ１１が判定すると、ステップａ９に移行する。ステップａ９において、ＣＰＵ１１は、たとえばメモリ３に記憶された電話番号を操作者が参照する機能の使用を許容して本フローを終了する。つまり前述の全ての機能のうち、たとえばメモリ３に記憶された受信メールおよび送信メールを操作者が参照する機能などを使用することは許容されない。
【００５０】
ステップａ８において、ＣＰＵ１１が、入力および決定された入力パスワードＰＷの文字列が第１〜第４桁目の基準パスワードの文字列に合致していないと判定すると、ステップａ１０に移行する。このステップａ１０において、ＣＰＵ１１は、ディスプレイ１２に図示外のパスワード再入力画面を表示する。その後、ステップａ１に戻り本フローを継続する。
【００５１】
以上説明した第１の実施の形態のハンズフリーシステムによれば、たとえばディスプレイ１２のタッチパネルによって、入力パスワードＰＷを入力および決定する。ＣＰＵ１１は、入力および決定される各文字種１４により構成される入力パスワードＰＷの文字列が、予め設定される基準パスワードに合致するか否かを判定する。さらにＣＰＵ１１は、入力および決定された入力パスワードＰＷと、基準パスワードとの合致の程度を示す合致状態、すなわち前述した種々の合致率を検出する。そしてＣＰＵ１１は、検出された合致状態に応じて使用可能とする機能を規定する。
【００５２】
このように特に入力パスワードＰＷと基準パスワードとの合致状態に応じて使用可能とする機能を規定するので、各機能を選択的にかつ使用可能に許容することが可能となるうえ、その操作性を簡略化することができる。換言すれば、使用することができる機能を選択的に制限することができるうえ、その制限するための操作性を簡略化することができる。たとえば本ハンズフリーシステムの所有者以外の者が、このハンズフリーシステムを使用するとき、所有者の個人的なデータを見るような機能は許容しないようにすることができる。
【００５３】
また、所有者が不意に入力すべき入力パスワード（つまり基準パスワード）の一部を忘れてしまっても、憶えている基準パスワードの一部で、少なくとも憶えている基準パスワードの一部に対応する機能を使用することができる。また、他人にハンズフリーシステム１を使用させる場合でも、基準パスワードの一部のみを教えることで、使用させたくない機能が使用されることを防ぐことができる。
【００５４】
また、基準パスワードの桁数すなわち文字列の文字数よりも多い桁を有した入力表示枠を、ディスプレイ１２に表示するようにしたので、基準パスワードを知らない者に、表示された入力表示枠の桁数だけ入力パスワードＰＷを入力する必要があると思わせることができ、入力パスワードＰＷと基準パスワードとの完全一致を防ぐことができる。本実施形態では、表示する入力表示枠の桁数を基準パスワードの桁数よりも多い数としたが、基準パスワードの桁数未満の入力表示枠を表示することも考えられる。この場合にも、基準パスワードを知らない者に、表示された入力表示枠の桁数だけ入力パスワードＰＷを入力する必要があると思わせることができ、入力パスワードＰＷと基準パスワードとの完全一致を防ぐことができる。なお表示する入力表示枠の桁数を基準パスワードの桁数と同数にする場合もあり得る。
【００５５】
［第２の実施の形態］
図４は、複数の文字を含むコードブロックと、コードブロック毎に割り当てられた機能との関係を説明するための図である。図５は、コードブロック毎に割り当てられた機能を使用可能に許容するＣＰＵの動作を示すフローチャートである。図１も参照しつつ説明する。ただし第１の実施の形態と同一の構成には同一の符号を付し、その詳細な説明は省略する。本フローはメモリ１０に予め格納されるプログラムに基づいて実行される。
【００５６】
第２の実施の形態のハンズフリーシステムにおいて、特にＣＰＵ１１は、複数のコードブロックの基準パスワードに対応する入力パスワードＰＷのコードブロック毎の合致位置を検出し、検出されたコードブロック毎の合致位置に対応した機能を使用可能な機能として規定する。複数のコードブロックの基準パスワードのうち、前記各コードブロックは１または複数の文字により構成される。
【００５７】
具体的には、図４（１）に示すように、前列４桁（第１桁目から第４桁目）の文字種１４から成る第１コードブロックの第１基準パスワード「１２３４」と、後列４桁（第５桁目から第８桁目）の文字種１４から成る第２コードブロックの第２基準パスワード「５６７８」とが予めメモリ１０に書き換え可能に記憶されている。すなわち本実施の形態において、基準パスワードは、第１および第２基準パスワードを含む。
【００５８】
図４（２）に示すように、入力表示枠の第１桁目から第４桁目に入力され、決定される第１入力パスワードＰＷ１が、前述の第１基準パスワード「１２３４」に合致すれば、ハンズフリーシステム１の機能Ｅを使用可能に許容する。ただし入力表示枠の第５桁目から第８桁目に入力され、決定される第２入力パスワードＰＷ２が、前述の第２基準パスワード「５６７８」に合致しないので、ハンズフリーシステム１の機能Ｆは使用不可能となる。
【００５９】
逆に図４（３）に示すように、入力表示枠の第５桁目から第８桁目に入力され、決定される第２入力パスワードＰＷ２が、第２基準パスワード「５６７８」に合致すれば、ハンズフリーシステム１の機能Ｆを使用可能に許容する。ただし入力表示枠の第１桁目から第４桁目に入力され、決定される第１入力パスワードＰＷ１が、第１基準パスワード「１２３４」に合致しないので、ハンズフリーシステム１の機能Ｅは使用不可能となる。
【００６０】
操作者が操作部１３のオンオフスイッチ１３ａをオン操作すると、本フローが開始され（ステップｂＳ）、ＣＰＵ１１は、ディスプレイ１２にパスワード入力画面を表示する。ステップｂＳの後ステップｂ１において、複数桁の文字種１４を含む入力パスワードＰＷが入力および決定されたか否かを判定する。このステップｂ１で入力パスワードＰＷが入力および決定されたと判定されると、ステップｂ２に移行する。ステップｂ２において、ＣＰＵ１１は、入力および決定したつまり確定した入力パスワードＰＷの文字列が、予め設定される基準パスワードに合致したか否かを判定する。
【００６１】
このステップｂ２において、第１桁目から第８桁目の文字種を含む入力パスワードＰＷが第１および第２基準パスワードに合致したと判定すると、ステップｂ３に移行してハンズフリーシステム１の全ての機能の使用を許容して本フローを終了する（ステップｂＥ）。ステップｂ１において、入力パスワードＰＷを入力および決定していないとＣＰＵ１１が判定すると、ステップｂ１に戻りフローを継続する。
【００６２】
ステップｂ２において、第１桁目から第８桁目の文字種１４を含む入力パスワードＰＷが第１および第２基準パスワードに合致していないとＣＰＵ１１が判定すると、ステップｂ４に移行する。ステップｂ４において、第１桁目から第４桁目の文字種１４を含む第１入力パスワードＰＷ１が、第１コードブロックの第１基準パスワード「１２３４」に合致したか否かをＣＰＵ１１が判定する。このステップｂ４において、前記第１入力パスワードＰＷ１が第１基準パスワードに合致したとＣＰＵ１１が判定すると、ステップｂ５に移行する。
【００６３】
ステップｂ５において、ＣＰＵ１１は、ハンズフリーシステム１の機能Ｅを使用可能に許容する。その後ステップｂＥに移行して本フローを終了する。ステップｂ４において、第１桁目から第４桁目の文字種１４を含む第１入力パスワードＰＷ１が、第１基準パスワードに合致していないとＣＰＵ１１が判定すると、ステップｂ６に移行する。
【００６４】
ステップｂ６において、第５桁目から第８桁目の文字種１４を含む第２入力パスワードＰＷ２が、第２基準パスワード「５６７８」に合致したか否かをＣＰＵ１１が判定する。このステップｂ６において、第２入力パスワードＰＷ２が第２基準パスワードに合致したとＣＰＵ１１が判定すると、ステップｂ７に移行する。このステップｂ７において、ＣＰＵ１１は、ハンズフリーシステム１の機能Ｆを使用可能に許容する。その後ステップｂＥに移行して本フローを終了する。
【００６５】
ステップｂ６において、第５桁目から第８桁目の文字種１４を含む第２入力パスワードＰＷ２が、第２基準パスワードに合致していないとＣＰＵ１１が判定すると、ステップｂ８に移行する。このステップｂ８において、ＣＰＵ１１は、ディスプレイ１２に図示外のパスワード再入力画面を表示する。その後、ステップｂ１に戻り本フローを継続する。
【００６６】
以上説明した第２の実施の形態のハンズフリーシステムによれば、ＣＰＵ１１は、複数のコードブロックの基準パスワードに対応する入力パスワードのコードブロック毎の合致位置を検出し、検出されたコードブロック毎の合致位置に対応した機能を使用可能な機能として規定する。このように複数の機能をコードブロック毎に選択的にかつ使用可能に許容することが可能となる。
【００６７】
たとえば第１コードブロックの第１基準パスワードおよび第２コードブロックの第２基準パスワードにそれぞれ対応する第１および第２入力パスワードＰＷ１，ＰＷ２を入力および決定したとき、これら第１および第２コードブロックに対応する機能を全て使用可能に許容することができる。また第１コードブロックの第１基準パスワードに対応する第１入力パスワードＰＷ１を入力および決定し、第２コードブロックの第２基準パスワードに対応する第２入力パスワードＰＷ２を誤入力して決定したとき、この誤入力したコードブロックに対応する機能は使用不可能とし、正しく入力し決定したコードブロックに対応する機能だけを使用可能に許容することができる。
【００６８】
換言すれば、不要な機能については、その機能に対応するコードブロックの基準パスワードに対して入力パスワードを合致させる必要がなくなる。それ故、入力パスワードＰＷを入力および決定する際の操作性を簡略化することができる。また操作者が入力すべき入力パスワードＰＷの一部を忘れてしまっても、憶えているコードブロック単位の基準パスワードのみで、そのコードブロックに対応する一部の機能を使用することができる。また、他人に本ハンズフリーシステムを使用させる場合に、使用を許容する機能に対応するコードブロックの基準パスワードのみを教えれば、他の機能を使用されるおそれがない。
【００６９】
［第３の実施の形態］
図６は、入力パスワードと入力表示枠との位置関係を説明する図である。ただし第１および第２の実施の形態と同一の構成には同一の符号を付し、その詳細な説明は省略する。本発明の第３の実施の形態では、予め設定される基準パスワードがたとえば「１２３４」であるとすると、入力および決定される入力パスワードＰＷの入力桁数目が異なっていても、図６（１）および（２）に示すように、入力パスワードＰＷの各文字の並び順が「１」「２」「３」「４」であれば、入力および決定される入力パスワードＰＷと基準パスワードとは合致するとＣＰＵ１１は判定する。
【００７０】
これによって予め定める基準パスワードに対応する機能を使用可能に許容することができる。また本実施の形態によれば、たとえば第１桁目の文字を入力ミスしたとしても、次の第２桁目から正しい文字の並び順に従って、「１」，「２」，「３」，「４」と再入力し決定することで、入力パスワードＰＷと基準パスワードとを合致させることができる。前記入力ミスとは、文字が全く入力されず、たとえばカーソルキー１８によって「スペース」をあけて次桁に進んだ状態である。図６において前記スペースは、「＊」で表示されている。
【００７１】
したがって仮に入力ミスがあったとしても、正しい入力すべき入力パスワードＰＷを、入力途中に訂正キー１７およびカーソルキー１８を用いて修正することなく連続して入力することが可能となる。なお図６（３）に示すように、入力パスワードの各文字の並び順が「１」「２」「３」「７」であれば、入力パスワードＰＷと基準パスワードとは合致しない。このように入力パスワードＰＷの入力文字列に、基準パスワードの予め定める並び順の文字列と一致しない文字が一つでも含まれるとき、入力および決定される入力パスワードＰＷと基準パスワードとは合致しないとＣＰＵ１１は判定する。換言すれば入力パスワードＰＷの文字列と、基準パスワードの文字列とが完全に一致しないとき、入力パスワードＰＷと基準パスワードとは合致しないとＣＰＵ１１は判定する。
【００７２】
［第４の実施の形態］
図７は、各操作者毎に設定されるべき機能に対応する基準パスワードを示す図である。ただし第１〜第３の実施の形態と同一の構成には同一の符号を付し、その詳細な説明は省略する。本発明の第４の実施の形態では、各操作者毎に設定されるべき機能に対応する複数の基準パスワードが、メモリ１０に書き換え可能に記憶されている。特にＣＰＵ１１は、各操作者毎にメモリ１０に記憶可能な複数の基準パスワードと、入力および決定された入力パスワードＰＷとを比較し、操作者を判別する。ＣＰＵ１１は操作者判別手段に相当する。
【００７３】
たとえば図７（１）に示すように、ある操作者Ｕ１固有の基準パスワード「１２３４」と、前記基準パスワードに対応する機能であって操作者Ｕ１が使用可能な機能とがメモリ１０に記憶されている。図７において、操作者Ｕ１をユーザＵ１と表記し、操作者Ｕ２をユーザＵ２と表記する。この場合、操作者Ｕ１が、既知である操作者Ｕ１固有の基準パスワードに対応する入力パスワードＰＷを入力および決定し、ＣＰＵ１１はこの入力パスワードＰＷと基準パスワードとが合致すると判定する。
【００７４】
これによってＣＰＵ１１は、操作者を判別したうえで、各操作者毎に設定された機能だけを使用可能に許容する。たとえば図７（１）に示すように、ＣＰＵ１１は機能Ａだけをオンつまり使用可能に許容する。つまり操作者Ｕ１は、機能Ａを使用することができ機能Ｂおよび機能Ｃを使用不可能となる。
【００７５】
たとえば図７（２）に示すように、ある操作者Ｕ２固有の基準パスワード「５６７８」と、前記基準パスワードに対応する機能であって操作者Ｕ２が使用可能な機能とがメモリ１０に記憶されている。この場合、操作者Ｕ２が、既知である操作者Ｕ２固有の基準パスワードに対応する入力パスワードＰＷを入力および決定し、ＣＰＵ１１はこの入力パスワードＰＷと基準パスワードとが合致すると判定する。
【００７６】
これによってＣＰＵ１１は、操作者を判別したうえで、各操作者毎に設定された機能だけを使用可能に許容する。たとえば図７（２）に示すように、ＣＰＵ１１は機能Ｂだけをオンつまり使用可能に許容する。つまり操作者Ｕ２は、機能Ｂを使用することができ、機能Ａおよび機能Ｃを使用不可能となる。
【００７７】
以上説明したように、メモリ１０には、各操作者毎に設定されるべき機能に対応する複数の基準パスワードが記憶され、各操作者が、操作者固有の基準パスワードに対応する入力パスワードＰＷを入力および決定することで、ＣＰＵ１１は各操作者毎に設定されるべき機能を使用可能に許容することができる。
【００７８】
［第５の実施の形態］
図８は、合致率に応じて機能を許容するＣＰＵの動作を示すフローチャートである。図１も参照しつつ説明する。ただし第１の実施の形態と同一の構成には同一の符号を付し、その詳細な説明は省略する。本フローはメモリ１０に予め格納されるプログラムに基づいて実行される。本発明の第５の実施の形態では、特にＣＰＵ１１は、合致率が０のとき、ハンズフリーシステム１を使用するために必要な最低限の機能だけを使用可能に許容する。
【００７９】
操作者が操作部１３のオンオフスイッチ１３ａをオン操作すると、本フローが開始され（ステップｃＳ）、ＣＰＵ１１は、ディスプレイ１２に前述のパスワード入力画面を表示する。ステップｃＳの後ステップｃ１において、ＣＰＵ１１は、入力パスワードＰＷが入力および決定されたか否かを判定する。このステップｃ１で入力パスワードＰＷが入力および決定されたと判定されると、ステップｃ２に移行する。
【００８０】
ステップｃ２において、ＣＰＵ１１は、入力および決定した入力パスワードＰＷの文字列が、予め設定される基準パスワードに合致したか否かを判定する。このステップｃ２において、ＣＰＵ１１は、全ての桁の文字を含む入力パスワードＰＷが基準パスワードに合致したと判定すると、ステップｃ３に移行してハンズフリーシステムの全ての機能を使用可能に許容し、ステップｃＥに移行して本フローを終了する。ステップｃ１において、入力パスワードＰＷを入力および決定していないとＣＰＵ１１が判定すると、ステップｃ１に戻りフローを継続する。
【００８１】
ステップｃ２において、入力パスワードＰＷが基準パスワードに合致していないとＣＰＵ１１が判定すると、ステップｃ４に移行する。ステップｃ４において、入力および決定した入力パスワードＰＷの文字列が、基準パスワードの第１桁目から第ｎ桁目の文字列に合致したと、ＣＰＵ１１が判定すると、ステップｃ５に移行する。前記ｎは、１以上の整数である。ステップｃ５において、ＣＰＵ１１は、ハンズフリーシステムの一部の機能だけを使用可能に許容する。
【００８２】
ステップｃ４において、入力パスワードＰＷの文字列が、基準パスワードの第１桁目から第ｎ桁目の文字列に合致していないとＣＰＵ１１が判定すると、ステップｃ６に移行する。ステップｃ６において、ＣＰＵ１１は、このハンズフリーシステムを使用するために最低限必要な機能だけを使用可能に許容し本フローを終了する。
【００８３】
このように入力パスワードＰＷの文字列と、基準パスワードの文字列とが合致しなくても、ＣＰＵ１１はハンズフリーシステムを使用するための最低限必要な機能（たとえば着信の許可など）だけを使用可能に許容する。したがって仮に操作者が、入力すべき入力パスワードＰＷつまり基準パスワードを忘れてしまったとしても、ハンズフリーシステムを使用するために最低限必要な機能だけは使用することが可能となる。
【００８４】
本発明の実施の他の形態として、たとえば車室内のペダル、スイッチ類を組み合わせて、予め定める順に操作する入力パスワードを採用することも可能である。このような入力パスワードと、予め定める基準パスワードとが合致することによって、予め定める装置の機能を使用可能に許容することができる。
【００８５】
第３の実施の形態（図６参照）において、たとえば各文字が予め定める順にスペース「＊」を介して並んでいても、スペース「＊」以外の文字の並びをみて入力パスワードと基準パスワードとが合致するか否かを判断する構成にすることも可能である。本実施の形態は、たとえばハンズフリーシステムに本発明を適用した場合の例を示しているが、必ずしもハンズフリーシステムに限定されるものではない。たとえばドアロックシステム、固定電話機、ファクシミリ装置、およびパーソナルコンピュータ等のセキュリティを有するものにも、本発明を適用可能である。その他前述の実施の形態に、特許請求の範囲を逸脱しない範囲において種々の部分的変更を行う場合もある。
【００８６】
【発明の効果】
請求項１記載の本発明によれば、特に入力ワードと基準ワードとの合致状態に応じて使用可能とする機能を規定するので、各機能を選択的にかつ使用可能に許容することが可能となるうえ、その操作性を簡略化することができる。また他者が容易にセキュリティの解除をすることを防ぐことができる。
【００８７】
請求項２記載の本発明によれば、合致状態検出手段は、入力文字列の文字種が、基準文字列の文字種に対し連続して一致するか否かを検出するとともに、連続して一致した文字数を検出している。このことによって各機能を選択的に許容することを実現できる。逆に言えば入力文字列の文字種が、基準文字列の文字種に対し連続して一致しなければ、各機能を選択的に許容することが不可能となる。
【００８８】
請求項３記載の本発明によれば、仮に入力ワードの入力文字列に、基準ワードの予め定める並び順の文字種の一部が一致したとしても、入力ワードと基準ワードとは合致しないと検出される。換言すれば入力ワードの入力文字列と、基準ワードの基準文字列とが完全に一致しなければ、入力ワードと基準ワードとは合致しないと検出される。
【００８９】
請求項４記載の本発明によれば、合致位置検出手段は、基準ワードに対応する入力ワードの合致位置を検出する。機能規定手段は、この合致位置検出手段により検出された合致位置に対応した機能を使用可能な機能として規定する。このように本発明によれば、合致位置に対応した機能を選択的に許容することが可能となる。
【００９０】
請求項５記載の本発明によれば、予め定める入力ワードの文字種と一致しない文字種が、合致位置に一つでも含まれるとき、前記合致位置に対応した機能を使用不能と規定する。換言すれば、ある合致位置において、入力ワードの文字種と基準ワードの文字種とが完全に一致しなければ、この合致位置に対応した機能を使用不能と規定する。
【００９１】
請求項６記載の本発明によれば、合致位置検出手段は、複数ブロックの基準ワードにそれぞれ対応する入力ワードのブロック毎の合致位置を検出する。機能規定手段は、前記合致位置検出手段により検出されたブロック毎の合致位置に対応した機能を使用可能な機能として規定する。このように複数の機能をブロック毎に選択的にかつ使用可能に許容することが可能となる。たとえば１ブロックの基準ワードが複数桁の基準ワードから成り、少なくとも複数ブロック分の基準ワードに対応する入力ワードを、前記複数桁ずつ入力したとき、これら複数ブロックに対応する機能を全て使用可能に許容することができる。また１ブロック分の基準ワードに対応する入力ワードを入力し、他の１ブロック分の基準ワードに対応する入力ワードを誤入力したとき、この誤入力したブロックに対応する機能は使用不可能とし、正しく入力したブロックに対応する機能だけを使用可能に許容することができる。
【００９２】
請求項７記載の本発明によれば、表示手段は入力表示桁を表示し、この入力表示桁は、基準文字列の文字数を超えるかまたは入力すべき入力文字の文字数よりも多くなっている。これによって基準ワードを知らない他者に対して、入力すべき入力文字の文字数自体を困惑させることができる。すなわち基準ワードを知らない他者には、入力表示桁だけ入力文字の文字数を入力する必要があると思わせることができる。したがって本パスワード認証装置のセキュリティを簡単な構成で強化することができる。
【００９３】
請求項８記載の本発明によれば、表示手段は入力表示桁を表示し、この入力表示桁は、基準文字列の文字数よりも少ないかまたは入力すべき入力文字の文字数よりも少なくなっている。これによって基準ワードを知らない他者に対して、入力すべき入力文字の文字数自体を困惑させることができる。すなわち基準ワードを知らない他者には、入力表示桁だけ入力文字の文字数を入力する必要があると思わせることができる。したがって本パスワード認証装置のセキュリティを簡単な構成で強化することができる。
【００９４】
請求項９記載の本発明によれば、合致状態検出手段は、入力表示桁のいずれかに、基準文字列における予め定める並び順の文字種に対応する入力文字列があるか否かを検出している。このように入力桁に関係なく予め定める並び順の文字種に対応する入力文字列が、入力表示桁のいずれかにあれば、対応する機能を許容することができる。
【００９５】
請求項１０記載の本発明によれば、操作者判別手段は、記憶手段に各操作者毎に記憶される複数の基準ワードと、入力手段により入力された入力ワードとを比較し、操作者を判別する。しかも操作者毎に設定される機能を許容することができる。
【００９６】
請求項１１記載の本発明によれば、入力すべき入力ワードを仮に忘却しても、機能規定手段は、合致状態検出手段により入力ワードと基準ワードが合致しないと判断されるとき、最低限使用可能な機能を規定する。
【００９７】
請求項１２記載の本発明によれば、合致状態検出工程において、入力手段により入力された入力ワードと、記憶手段に記憶された基準ワードとの合致の程度を示す合致状態を検出する。その後機能規定工程において、前記合致状態検出工程で検出された合致状態に応じて使用可能とする機能を規定する。このように特に入力ワードと基準ワードとの合致状態に応じて使用可能とする機能を規定するので、各機能を選択的に許容することが可能となるうえ、その操作性を簡略化することができる。また他者が容易にセキュリティの解除をすることを防ぐことができる。
【図面の簡単な説明】
【図１】本発明の第１の実施の形態に係るハンズフリーシステムの構成を示す図である。
【図２】入力パスワードを入力するためのディスプレイの表示状態を表した図である。
【図３】ハンズフリーシステムの各機能の使用を選択的に許容するＣＰＵの動作を示すフローチャートである。
【図４】複数の文字を含むコードブロックと、コードブロック毎に割り当てられた機能との関係を説明するための図である。
【図５】コードブロック毎に割り当てられた機能を使用可能に許容するＣＰＵの動作を示すフローチャートである。
【図６】入力パスワードと入力表示枠との位置関係を説明する図である。
【図７】各操作者毎に設定されるべき機能に対応する基準パスワードを示す図である。
【図８】合致率に応じて機能を許容するＣＰＵの動作を示すフローチャートである。
【符号の説明】
１  ハンズフリーシステム
１０  メモリ
１１  ＣＰＵ
１２  ディスプレイ
ＰＷ  入力パスワード
１４  文字コード
１５  表示領域
ＰＷ１  第１入力パスワード
ＰＷ２  第２入力パスワード
【図１】
2004341714.tif 000003
【図２】
2004341714.tif 000004
【図３】
2004341714.tif 000005
【図４】
2004341714.tif 000006
【図５】
2004341714.tif 000007
【図６】
2004341714.tif 000008
【図７】
2004341714.tif 000009
【図８】
2004341714.tif 000010